(57)【要約】【課題】試料が試料容器から飛び出ることを防止することができる試料容器を提供する。【解決手段】一端に開口部１０ａを備えた筒形状の胴部１１と、この胴部１１から連接し、開口部１０ａの開口面積より狭小化するテーパ部１０ｂと、胴部１１およびテーパ部１０ｂを介して開口部１０ａに対向するとともに、テーパ部１０ｂに連接する底部１２と、胴部１１の内周面１１ａから当該筒形状の中心軸方向に突出する凸部１３とを備えた試料容器１０であって、試料容器１０は、さらに凸部１３と底部１２との間に試料１４を載置する試料載置部１０ｃと、この試料載置部１０ｃと凸部１３との間に気体を当該試料１４から開口部１０ａに通過させる孔部１５ａとを有する蓋部材１５を備えている。【選択図】図１
2009041973.tif 000002
【特許請求の範囲】
【請求項１】
一端に開口部を備えた筒形状の胴部と、
この胴部から連接し、前記開口部の開口面積より狭小化するテーパ部と、
前記胴部および前記テーパ部を介して前記開口部に対向するとともに、当該テーパ部に連接する底部と、
前記胴部の内周面から当該筒形状の中心軸方向に突出する凸部とを備えることを特徴とする容器。
【請求項２】
前記凸部は、前記胴部の内周面に、相独立して複数備えられている請求項１に記載の容器。
【請求項３】
前記凸部は、前記胴部の内周面に円周状に突出している請求項１に記載の容器。
【請求項４】
試料を加熱し当該試料に含まれる材料成分を気化した気体を分析する装置に供される試料容器であって、
請求項１から３のいずれか１項に記載の容器の前記凸部と前記底部との間に前記試料を載置する試料載置部と、
この試料載置部と前記凸部との間に前記気体を当該試料から前記開口部に通過させる孔部とを有する蓋部材を備える試料容器。
【請求項５】
前記蓋部材は、繊維状の部材であることを特徴とする請求項４に記載の試料容器。
【請求項６】
前記蓋部材は、複数の貫通孔が形成された板状の部材であることを特徴とする請求項４に記載の試料容器。
【請求項７】
前記蓋部材は、伸縮自在の材質である請求項４から６のいずれか１項に記載の試料容器。
【発明の詳細な説明】
【技術分野】
【０００１】
本発明は、ガスクロマトグラフの加熱装置で使用する定量的な分析精度向上に適した試料容器に関する。
【背景技術】
【０００２】
近年、様々な工業製品のうち多くの工業製品には地球環境に負荷を与えない材料からなる部品が使用される。これらの部品に地球環境に負荷を与える材料などが含まれていないかどうかを調べるための方法として、例えばガスクロマトグラフによる材料の定性的および定量的な分析方法がある。
【０００３】
ところで、ガスクロマトグラフにおいては試料を加熱することにより、試料から脱着して気体成分が生成する、あるいは試料の熱分解により気体成分が生成する。そして、これらの気体成分はガスクロマトグラフを構成する質量分析計や検出器などの分析装置に導かれて、定性的および定量的に分析が行われることが知られている。このことにより、試料を構成する材料の成分が分析される。
【０００４】
この試料を加熱する加熱装置は、例えば縦型に配置された石英管と石英管に隣接し石英管外部に配置されたＲＦ加熱による加熱部と石英管の上部にキャリアガスを導入する導入口とを備えている。そして、中空の試料容器とともに加熱された試料からの気体成分がキャリアガスに乗って石英管の下部に配置された分析用のカラムの方に導かれ分析される。このようにガスクロマトグラフなどの高精度の分析装置の加熱部においては、試料容器を加熱部に隣接した石英管内の位置に配置したり回収したりすることが、試料や石英管を汚染することなく、迅速に行われることが要望されている。
【０００５】
ところで、図４の斜視図に示す従来から使用されている試料容器１００は、円筒状の胴部１０１と、その胴部１０１に連接された略四角錐台形状の底部１０２とからなる形状をしており、この底部１０２に分析される試料（図示せず）が配置されてガスクロマトグラフなどの分析装置の加熱部に使用される。このように、隣接した加熱部により石英管内の試料容器および試料が加熱され、生成した気体成分は、石英管のロート状の先の管を通って、ガスクロマトグラフのカラムおよび質量分析計や検出器などに導入され、分析が行われる（例えば、特許文献１参照）。このときに、試料容器は、中に試料を入れたまま自重により自由落下して石英管内の加熱部に隣接した位置まで導入される。この試料容器には加熱部に導入するための柄部が形成されて、かつ着脱自在に保持する試料容器導入具と試料容器回収具とが備えられている。したがって、試料容器の導入と回収を、試料や石英管を汚染することなく、迅速に行うことができる。
【０００６】
また、分析する試料の多段階連続分析を迅速に行うために回転式の試料容器ホルダと、試料容器を試料導入口と加熱される管との間の所定の位置に保持するための３つ以上のシャッターとを有する加熱装置が提案されている（例えば、特許文献２参照）。すなわち、この加熱装置に自動的に試料導入する場合には、加熱装置の開口部と加熱部との間に試料容器の進入を拒むシャッターを３つ設け、開口部に最も近いシャッターＸと加熱部に最も近いシャッターＹが密閉可能なシャッターで、その間に位置するもう１つのシャッターは通気可能なシャッターＺとしている。
【０００７】
一方、分析したい試料は特許文献１と同様の中空の試料容器に入れ、グラスウールなどで試料容器が自由落下したときに試料が試料容器から飛び出ないように蓋をしている。そののち、試料容器は回転式の試料ホルダにセットされ、分析する順番に自動的に加熱部に導入される。そして、シャッターＹおよびシャッターＺが閉じた状態で、シャッターＸが開くことにより回転式の試料ホルダにセットされていた試料容器がシャッターＺの位置まで自由落下して配置される。次にシャッターＸが閉じ、キャリアガスが導入される。次に、シャッターＺを開いたのちにシャッターＹを開くと、試料容器は自由落下して石英管に導入され、さらに加熱部のロート状に中空を絞った形状の位置まで自由落下して加熱部に隣接した位置まで導入される。そして、加熱部に置かれた試料および試料容器が加熱されることにより、試料から生成した気体成分はキャリアガスと混合して石英管のロート状の先の管を通って、例えばガスクロマトグラフの質量分析計や検出器に導入されて分析が行われる。このようにして、試料の多段階分析において装置を大型化することなく迅速に行うことができる。
【特許文献１】特開平１０−２５３６０６号公報
【特許文献２】特開２００６−２２６７４６号公報
【発明の開示】
【発明が解決しようとする課題】
【０００８】
しかしながら、上記従来例においては試料を入れた試料容器を加熱部に隣接する石英管内の所定の位置まで自由落下させるので、試料が試料容器から飛び出てしまうという課題が生じる。すなわち、試料容器が自由落下するときに、試料容器は重く試料は数ｍｇと微量かつ軽量であるために、試料容器と試料との落下速度の違いや石英管の下部のロート形状の位置に試料容器が衝突したときの衝撃により、試料が試料容器から飛び出ることが起こる。これを防ぐためにグラスウールなどを入れて蓋をしているが、このグラスウール製の蓋が軽量であるため、充填の量や充填方法によっては自由落下時に飛んでしまうことがある。また、試料が容器から飛び出ると石英管の外へ回収することが難しく、分析に時間がかかる、あるいは、次の試料を分析するときに石英管を汚染して分析精度を低下させてしまう。
【０００９】
そこで、本発明は、試料が試料容器から飛び出ることを防止することができる試料容器を提供することを目的とする。
【課題を解決するための手段】
【００１０】
上記目的を達成するために、本発明の容器は、一端に開口部を備えた筒形状の胴部と、この胴部から連接し、上記開口部の開口面積より狭小化するテーパ部と、上記胴部および上記テーパ部を介して上記開口部に対向するとともに、当該テーパ部に連接する底部と、上記胴部の内周面から当該筒形状の中心軸方向に突出する凸部とを備える。
【００１１】
上記構成を備える容器は、テーパ部または底部の少なくともいずれかに、軽量の収納物を収納させ、収納物共々容器を底部方向に落下させるような用途に適用する場合、収納物が凸部に係合するため、落下途中で当該収納物が開口部から飛び出ることを抑制することができる。
【００１２】
また、凸部は、胴部の内周面に相独立して複数備えられる構成、または胴部の内周面に円周状に突出した構成のいずれかによれば、当該凸部に対する収納物をより確実に係合させることができるため、開口部からの飛び出しの抑制効果を高めることができる。
【００１３】
なお、上記いずれの構成においても、収納物と凸部との間に、当該凸部に係合する蓋部材をさらに備えることで、収納物の飛び出しを確実に抑制できる。
【００１４】
また、本発明の試料容器は、試料を加熱し当該試料に含まれる材料成分を気化した気体を分析する装置に供される試料容器であって、上記いずれかの容器の凸部と底部との間に試料を載置する試料載置部と、この試料載置部と凸部との間に気体を当該試料から開口部に通過させる孔部とを有する蓋部材を備える。
【００１５】
このような構成とすることにより、試料が試料容器から飛び出ることを防止することができるので、高精度の分析装置などの加熱部において石英管内の試料容器内に置かれた試料が石英管を汚染することがなく、連続して迅速に分析を行うことができる。さらに、試料から適切に気体成分を生成することができるので、成分分析の定量性を改善し、測定精度を向上することができる。
【００１６】
また、蓋部材は、繊維状の部材で形成されてもよい。このような構成とすることにより、試料容器を自由落下させたときに試料が蓋部材に当たっても破損することがなく、かつ試料容器から飛び出ることを防止することができるので、高精度の分析装置などの加熱部において石英管内の試料容器内に置かれた試料が石英管を汚染することがなく、連続して迅速に分析を行うことができる。
【００１７】
また、蓋部材は、複数の貫通孔が形成された板状の部材で形成されてもよい。このような構成とすることにより、試料容器を自由落下させたときに試料が蓋部材に当たっても破損することがなく、かつ試料容器から飛び出ることを防止することができるので、高精度の分析装置などの加熱部において石英管内の試料容器内に置かれた試料が石英管を汚染することがなく、連続して迅速に分析を行うことができる。
【００１８】
また、蓋部材は伸縮自在の材質で構成されていてもよい。この構成により、試料載置部に試料を載置したのち、蓋部材を押圧などすることで縮ませて凸部と試料との間に設置し、そののちに、押圧力を解除し蓋部材を復元することができるため、試料の飛び出しを防止することができる。
【発明の効果】
【００１９】
本発明の試料容器は、ガスクロマトグラフの加熱装置などで用いる試料容器であって、試料を蓋部材で覆っているので、試料が試料容器から飛び出すことを防止する。その結果として、試料の飛散による加熱装置の汚染を防止することができる。このことにより、高精度の分析装置などの加熱部において石英管内の試料容器内に置かれた試料が石英管を汚染することがなく、連続して迅速に分析を行うことができるという大きな効果を奏する。また、試料の飛散を防止することにより分析の定量性が損なわれることなく、測定精度の向上が実現できるという効果も奏する。
【発明を実施するための最良の形態】
【００２０】
以下、本発明の実施の形態にかかる試料容器について、図面を参照しながら説明する。なお、図面で同じ符号が付いたものは、説明を省略する場合もある。また、図面は理解をしやすくするためにそれぞれの構成要素を模式的に示しているので、形状などについては正確な表示ではない。
【００２１】
（第１の実施の形態）
図１は、本発明の第１の実施の形態にかかる試料容器の模式図で、（ａ）は斜視図、（ｂ）は（ａ）における１Ａ−１Ａ線から見た断面図であり、（ｃ）は（ａ）における１Ｂから見た平面図である。
【００２２】
図１（ａ）および（ｂ）に示すように本実施の形態の試料容器１０は、一端に開口部１０ａを備えた筒形状の胴部１１と、この胴部１１から連接し、開口部１０ａの開口面積より狭小化するテーパ部１０ｂと、胴部１１およびテーパ部１０ｂを介して開口部１０ａに対向するとともに、テーパ部１０ｂに連接する底部１２と、胴部１１の内周面１１ａから当該筒形状の中心軸方向に突出する凸部１３とを備えている。そして、試料容器１０は、凸部１３を胴部１１の内周面１１ａに相独立して複数備えている。なお、試料容器１０は試料１４を加熱し当該試料１４に含まれる材料成分を気化した気体を分析する装置に供される試料容器１０である。
【００２３】
さらに、試料容器１０は、この試料容器１０の凸部１３と底部１２との間に試料１４を載置する試料載置部１０ｃと、この試料載置部１０ｃと凸部１３との間に気体を当該試料１４から開口部１０ａに通過させる孔部１５ａとを有する蓋部材１５を備えている。
【００２４】
この蓋部材１５は、繊維状の部材で形成されており、本実施の形態では、例えば蓋部材１５は石英ウールを数ｍｍ程度の厚さにしたもので孔部１５ａが多数形成されているものを使用した。この石英ウールは、例えば板状に形成して配置してもよい。なお、加熱すると気体成分を生成する材料を含まない繊維状の部材であれば他の部材を用いて形成した蓋部材１５を使用してもよい。このような構成とすることにより、試料容器１０を自由落下させたときに試料１４が蓋部材１５に当たっても破損することがなく、かつ試料容器１０から飛び出ることを防止することができる。すなわち、試料容器１０は、そのテーパ部１０ｂまたは底部１２の少なくともいずれかに軽量の収納物である試料１４を収容して、この試料１４共々底部１２方向に落下させるような用途に適用する。この場合に、試料容器１０が落下中に試料１４が凸部１３に係合するため、落下途中で収納物である試料１４が開口部１０ａから飛び出ることを抑制することができる。
【００２５】
また、図１（ｃ）は図１（ａ）の１Ｂの矢印の方向から見た試料容器１０を示しており、ここでは、蓋部材１５を取り外して中を見た平面図を示している。テーパ状の底部１２の試料載置部１０ｃに試料１４が配置されていることがわかる。また、蓋部材１５が配置されていれば内周面１１ａに沿って１８０度間隔で対称に配置された２つの凸部１３により押さえられる。このような構成とすることにより、蓋部材１５が試料容器１０の開口部１０ａから上部に飛び出さないような構造になっていることがわかる。すなわち、図１（ｃ）に示す試料容器１０において凸部１３は、胴部１１の内周面１１ａに、相独立して２つ備えている構成で配置されて開口部１０ａからの飛び出しの抑制効果を高めることができる。なお、凸部１３は、２つ以上の複数個配置されていてもよい。
【００２６】
このような構成とすることにより、試料１４が試料容器１０から飛び出ることを効果的に防止することができるので、高精度の分析装置などの加熱部において石英管内の試料容器１０内に置かれた試料１４が石英管を汚染することがなく、連続して迅速に分析を行うことができる。さらに、試料１４から適切に気体成分を生成することができるので、成分分析の定量性を改善し、測定精度を向上することができる。
【００２７】
これらの構造に加えて図１（ａ）および（ｂ）に示すように、凸部１３が形成された位置に対応して、胴部１１の胴部外側１１ｂにさらに凹部１６が形成されている。このことにより、試料容器１０を軽量化して自由落下時の試料との落下速度の差が緩和できるようにしている。
【００２８】
このような構成の試料容器１０を用いて、例えば図２に示す一般に市販されているガスクロマトグラフにおいて試料を形成する材料の分析を行う。
【００２９】
図２に本実施の形態の試料容器１０を使用して試料（図示せず）から生成する気体成分を分析するガスクロマトグラフ２０の概略構成図を示す。このガスクロマトグラフ２０において、試料導入部２１は、複数個用意された試料容器１０と試料容器１０を自動で導入できる回転式試料容器ホルダ２３とから構成されている。そして、試料を加熱して気体成分を生成する加熱部３０は、試料容器１０を導入する容器導入口３１と、容器導入口３１から矢印２Ａの方向への開閉により容器導入管３２の方へ導くシャッター３３ａと、試料容器１０を容器導入管３２の中間の待機位置３４に待機させるシャッター３３ｂとから構成されている。そして、シャッター３３ｂを矢印２Ｂの方向に開閉させることにより、試料容器１０は容器導入管３２および石英管３６の中を自由落下したのち熱分解炉３７の中の容器落下位置３５まで到達する。ここで、容器導入管３２および石英管３６は接続部３６ａで接続されている。
【００３０】
なお、試料（図示せず）から生成する気体成分を分析計や検出器などの方に運ぶキャリアガス３８ａを導入するガス導入口３９ａや試料容器１０を容器導入口３１まで吹き上げて回収するための吹上げガス３８ｂを導入するガス導入口３９ｂが設けられている。そして、キャリアガス３８ａおよび吹上げガス３８ｂは少なくともその一部をガス排気口３９ｃから排気ガス３８ｃとして排気される。また、試料（図示せず）の加熱により生成した気体成分は分析部４０に送られて定性的かつ定量的に分析される。すなわち、分析部４０はカラム４１、質量分析計４２およびデータ処理を行うコンピュータ４３から構成されており、試料（図示せず）からの気体成分はキャリアガス３８ａと混合してニードル管３６ｃの中を輸送されてカラム４１の中に導入されて、その成分がガスクロマトグラフィの方法により分析される。
【００３１】
次に図２に示すガスクロマトグラフ２０において試料（図示せず）を分析する手順や内容について具体的に説明する。図１（ａ）および（ｂ）に示すように試料容器１０に試料１４を入れて凸部１３の下部に、例えば石英ウールからなる蓋部材１５を配置する。蓋部材１５は弾力がある状態で形成されているので、試料容器１０の胴部１１の内周面１１ａに対してその弾力により凸部１３の下部に押圧配置されている。なお、蓋部材１５は、伸縮自在の材質であるものを使用しており、ここでは石英ウールにより形成している。
【００３２】
このような試料１４および蓋部材１５が中に入った試料容器１０を複数個使用して図２に示すガスクロマトグラフ２０の回転式試料容器ホルダ２３にセットする。このときに加熱部３０において、シャッター３３ａ、３３ｂ、ガス排気口３９ｃおよび吹上げガス３８ｂのガス導入口３９ｂは閉じており、キャリアガス３８ａのガス導入口３９ａは開いており少量のキャリアガス３８ａを流している。そして、回転式試料容器ホルダ２３が回転して分析したい試料容器１０が容器導入口３１の位置に来るとシャッター３３ａが開き、試料容器１０は矢印２Ｃの方向に沿って容器導入管３２の中を自由落下して待機位置３４に配置される。この状態になるとシャッター３３ａは直ちに閉じて、充分な量のキャリアガス３８ａがガス導入口３９ａより流入する。
【００３３】
一方、加熱部３０の熱分解炉３７の温度が所定の温度にセットされた状態になるとシャッター３３ｂが開き、試料容器１０は石英管３６の中を自由落下して容器落下位置３５に導入される。容器落下位置３５の石英管３６は絞ったロート状の形状部３６ｂをしており、このロート状の形状部３６ｂと試料容器１０の略四角錐台形状のテーパ部１０ｂおよび底部１２の形状とが整合して、安定した状態で容器落下位置３５に配置することができる。なお、試料容器１０中の試料（図示せず）が加熱されて発生する気体成分は、石英管３６の中をキャリアガス３８ａと混合されてニードル管３６ｃを通過してカラム４１に供給される。そして、ガスクロマトグラフ２０の分析部４０においてカラム４１、質量分析計４２およびコンピュータ４３により定性的、かつ定量的に成分分析が行われる。
【００３４】
また、熱分解炉３７の設定温度を変えて連続して試料から発生ずる気体成分の分析を行う場合には、その都度シャッター３３ｂを開いてガス導入口３９ａを閉じ、さらにガス排気口３９ｃを開く。そして、吹上げガス導入口３９ｂより吹上げガス３８ｂを導入し、試料容器１０を待機位置３４まで戻す。そののち、シャッター３３ｂ、ガス排気口３９ｃおよびガス導入口３９ｂを閉じ、ガス導入口３９ａを開いてキャリアガス３８ａが導入される。熱分解炉３７の温度が上昇して所定の設定温度になると再びシャッター３３ｂが開き、試料容器１０は石英管３６の中を自由落下して、容器落下位置３５に導入される。
【００３５】
このように、１つの試料を用いて設定温度を変えて分析を行う場合は、試料容器１０は分析する設定温度が変わるごとに待機位置３４と容器落下位置３５とを往復する。１つの試料で行うことができる全ての分析が終了すると、シャッター３３ａおよびシャッター３３ｂが開かれ、ガス導入口３９ａおよびガス排気口３９ｃが閉じられる。そして、ガス導入口３９ｂを開いて吹上げガス３８ｂが導入されると、容器落下位置３５にある試料容器が、吹上げガス３８ｂにより吹上げられることにより容器導入口３１より排出する。この排出ののち回転式試料容器ホルダ２３に保持されている複数の試料容器１０のうち、次に分析する試料容器１０が容器導入口３１から矢印２Ｃの方向に容器導入管３２に自由落下して入る。このことにより、複数の試料容器１０の自動導入から複数回の分析が行われたのちに自動排出を行うまでの一連の動作を自動で行うことができる。
【００３６】
本実施の形態では、加熱装置の一例として図２に示すガスクロマトグラフ２０を例にして説明した。このような構成とすることにより、試料が試料容器から飛び出ることを防止することができるので、高精度の分析装置などの加熱部において石英管内の試料容器内に置かれた試料が石英管を汚染することがなく、連続して迅速に分析を行うことができる。さらに、試料から適切に気体成分を生成することができるので、成分分析の定量性を改善し、測定精度を向上することができる。
【００３７】
なお、本実施の形態において試料容器の蓋は、例えば石英ウールを使用したが石英ウールに限定するものではなく、多孔質または複数の貫通孔が形成された板状の部材であって、試料の加熱温度においてガスを発生しない物質で形成したものであれば同様に使用することができる。
【００３８】
（第２の実施の形態）
図３は、本発明の第２の実施の形態にかかる加熱装置用の試料容器の模式図で、（ａ）は平面図、（ｂ）は（ａ）における３Ａ−３Ａ線から見た断面図であり、（ｃ）は他の試料容器の平面図、（ｄ）は（ｃ）における３Ｃ−３Ｃ線から見た断面図である。
【００３９】
図３に示す試料容器５０および試料容器６０は、第１の実施の形態で示した試料容器１０と凸部１３の部分が異なっている。すなわち、図３（ａ）および（ｂ）に示す試料容器５０において、胴部１１の内周面１１ａに形成された凸部１３は、胴部１１の内周面１１ａに分離して複数個、ここでは円周上に沿って９０度間隔で４個形成されている。このように図１に示す試料容器１０に形成された凸部１３に比べて円周上に分離された複数の凸部１３の個数を増やすことにより蓋部材１５をより確実に試料容器５０の内部に保持し、試料１４が試料容器５０から飛び出ないようにしている。
【００４０】
また、図３（ｃ）は本実施の形態にかかる他の試料容器６０の平面図を示す。図３（ｃ）に示す３Ｃ−３Ｃ線から見た断面図は図３（ｄ）に示す断面図となり図３（ｂ）と同じになっている。すなわち、図３（ｃ）および（ｄ）に示す試料容器６０において、胴部１１の内周面１１ａに形成された凸部１３は、胴部１１の内周面１１ａに円周状に突出しており連続して形成されている。このように図１に示す試料容器１０に形成された凸部１３に比べて凸部１３を図３（ｃ）に示すように円周状に突出して連続して形成することにより蓋部材１５をより確実に試料容器６０の内部に保持し、試料１４が試料容器６０から飛び出ないようにしている。
【００４１】
このような構成とすることにより、試料容器５０または試料容器６０を自由落下させたときに蓋部材１５が凸部１３に適切に引っかかり試料容器５０または試料容器６０の外側に飛び出ることがないようにすることができる。したがって、試料１４が蓋部材１５に止められて試料容器５０または試料容器６０から飛び出ることを防止することができるので、高精度の分析装置などの加熱部において石英管内の試料容器内に置かれた試料が石英管を汚染することがなく、連続して迅速に分析を行うことができる。
【００４２】
なお、これらの試料容器５０および試料容器６０は第１の実施の形態と同様に図２に示すガスクロマトグラフ２０において使用することができるので、説明は省略する。
【００４３】
なお、図１から図３に示す試料容器１０、５０、６０のテーパ部１０ｂ、試料載置部１０ｃおよび底部１２の形状は、図２の容器落下位置３５で安定した状態を維持できる形状であり、かつ、試料容器５０または試料容器６０のテーパ部１０ｂおよび底部１２と石英管３６のロート状の形状部３６ｂとの間に気体成分が通過できる隙間があればよく、第１および第２の実施の形態で示した略四角錐台形状に限定するものではなく他の形状であってもよい。
【産業上の利用可能性】
【００４４】
本発明の試料容器は、試料が試料容器から飛び出ることを防止することができるので、高精度の分析装置などの加熱部において石英管内の試料容器内に置かれた試料が石英管を汚染することがなく、連続して迅速に分析を行うことができる。さらに、試料から適切に気体成分を生成することができるので、成分分析の定量性を改善し、測定精度を向上することができる。したがって、各種電気機器や電子機器およびこれらの部品に用いられる材料中の環境負荷物質の高精度の分析などに有用である。
【図面の簡単な説明】
【００４５】
【図１】本発明の第１の実施の形態にかかる試料容器の模式図で、（ａ）は斜視図、（ｂ）は（ａ）における１Ａ−１Ａ線から見た断面図、（ｃ）は（ａ）における１Ｂから見た平面図
【図２】本発明の第１の実施の形態にかかる試料容器を使用して試料から生成する気体成分を分析するガスクロマトグラフの概略構成図
【図３】本発明の第２の実施の形態にかかる試料容器の模式図で、（ａ）は平面図、（ｂ）は（ａ）における３Ａ−３Ａ線から見た断面図、（ｃ）は他の試料容器の平面図、（ｄ）は（ｃ）における３Ｃ−３Ｃ線から見た断面図
【図４】従来の試料容器を示す斜視図
【符号の説明】
【００４６】
１０，５０，６０    試料容器
１０ａ    開口部
１０ｂ    テーパ部
１０ｃ    試料載置部
１１    胴部
１１ａ    内周面
１１ｂ    胴部外側
１２    底部
１３    凸部
１４    試料
１５    蓋部材
１５ａ    孔部
１６    凹部
２０    ガスクロマトグラフ
２１    試料導入部
２３    回転式試料容器ホルダ
３０    加熱部
３１    容器導入口
３２    容器導入管
３３ａ，３３ｂ    シャッター
３４    待機位置
３５    容器落下位置
３６    石英管
３６ａ    接続部
３６ｂ    ロート状の形状部
３６ｃ    ニードル管
３７    熱分解炉
３８ａ    キャリアガス
３８ｂ    吹上げガス
３８ｃ    排気ガス
３９ａ，３９ｂ    ガス導入口
３９ｃ    ガス排気口
４０    分析部
４１    カラム
４２    質量分析計
４３    コンピュータ
【図１】
2009041973.tif 000003
【図２】
2009041973.tif 000004
【図３】
2009041973.tif 000005
【図４】
2009041973.tif 000006